(57)【要約】      （修正有）【課題】接着剤の使用量を抑制しつつも十分な強度を備え、組み立て後に生じる隙間を極力少なくした収納箱を提供する。【解決手段】外形が直方体又は立方体形状をなし、上面２から連接された上フラップ１２と、底面３から連接された下フラップ１３と、前面４及び背面５から連接された一対の横フラップ１４，１５とを備え、これらが接着剤９で接着されて側面６が封緘されてなる収納箱１である。横フラップ１４，１５の表面に、外側に突出した突出部２０が形成され、下フラップ１３の端縁に、下フラップ１３を内側に折り曲げて一対の横フラップ１４，１５の外側に重ね合わせたときに突出部２０が露出するように切り欠き部２２が形成され、突出部２０の高さを、下フラップ１３側において下フラップ１３の厚みと略同一にすると共に、上フラップ１２側に向かって徐々に低くすることによって、突出部２０の表面が傾斜面をなしている。【選択図】図２
0003183620.tif 000002
【実用新案登録請求の範囲】
【請求項１】
外形が直方体又は立方体形状をなし、上面(2)から連接された上フラップ(12)と、底面(3)から連接された下フラップ(13)と、前面(4)及び背面(5)から連接された一対の横フラップ(14,15)とを備え、内部空間に物品を収容後、前記一対の横フラップ(14,15)が内側に折り曲げられ、次いで前記一対の横フラップ(14,15)と重なり合うように前記下フラップ(13)、前記上フラップ(12)がこの順で内側に折り曲げられ、前記一対の横フラップ(14,15)、下フラップ(13)、上フラップ(12)が接着剤(9)で接着されて側面(6)が封緘されてなる収納箱(1)であって、
前記横フラップ(14,15)の表面に、外側に突出した突出部(20)が形成され、
前記下フラップ(13)の端縁(21)に、前記下フラップ(13)を内側に折り曲げて前記一対の横フラップ(14,15)の外側に重ね合わせたときに前記突出部(20)が露出するように切り欠き部(22)が形成され、
前記突出部(20)の高さ(a)を、前記下フラップ(13)側において前記下フラップ(13)の厚みと略同一にすると共に、前記上フラップ(12)側に向かって徐々に低くすることによって、前記突出部(20)の表面(24)が傾斜面をなし、
前記突出部(20)の表面(24)及び前記下フラップ(13)の端縁(21)に沿って塗布される接着剤(9)を介して前記上フラップ(12)が接着されていることを特徴とする収納箱。
【請求項２】
請求項１に記載の収納箱であって、
更に前記突出部(20)の表面(24)及び前記下フラップ(13)の端縁(21)に沿って塗布される接着剤(9)の塗布位置が、略一直線状に配置されていることを特徴とする収納箱。
【請求項３】
請求項１又は２に記載の収納箱であって、
前記突出部(20)と前記切り欠き部(22)とが係合するように形成されていることを特徴とする収納箱。
【考案の詳細な説明】
【技術分野】
【０００１】
本考案は、包装容器等として利用可能な収納箱に関する。
【背景技術】
【０００２】
従来、商品を収容するための包装容器として、紙製のシートを箱状に形成したものが多く利用されている。このような包装容器は製函機によって組み立てられ、商品を収容した後、側面の糊付け部分にホットメルト等の接着剤を塗布して、折り畳んで固定している。
【０００３】
包装容器等として利用可能な収納箱として、例えば図６〜図９に示す収納箱Ｘのように、外形が直方体形状をなし、上面２から連接された上フラップ１２と、底面３から連接された下フラップ１３と、前面４及び背面５から連接された一対の横フラップ１４，１５とを備え、内部空間に物品を収容後、図６に示すように一対の横フラップ１４，１５が内側に折り曲げられ、次いで図７に示すように一対の横フラップ１４，１５と重なり合うように下フラップ１３が内側に折り曲げられ、更に図８に示すように上フラップ１２が内側に折り曲げられ、下フラップ１３と上フラップ１２が接着剤９で接着されて側面６が封緘されてなるものが一般的によく知られている。
【０００４】
一般的な収納箱Ｘは非常に単純な構成であり製造も容易であるが、ここで問題となるのが収納箱Ｘの強度（特にひねり接着強度）と側面６に生じる隙間である。まず収納箱Ｘの強度の問題であるが、製造工程を簡略化し、製造コストを抑えるためには、接着回数はできるだけ少なく、また接着剤９の使用量もできるだけ減らすことが重要である。収納箱Ｘでは、下フラップ１３と上フラップ１２とを接着剤９で接着しているのみであり、下フラップ１３の外側に接着剤９を塗布した後、上フラップ１２を内側に折り曲げて接着するというように、接着工程は一回である。しかし、下フラップ１３と上フラップ１２とを接着しただけで収納箱Ｘに十分な強度を付与するためには、下フラップ１３の全幅にわたって接着剤９を塗布する必要があり、接着剤９の使用量増大につながる。一方で、まず一対の横フラップ１４，１５と下フラップ１３とを接着し、次いで下フラップ１３と上フラップ１２とを接着するという方法もある。この方法に因れば収納箱Ｘの強度は高まるが、接着工程が二回になり、接着剤９の使用量も殆ど変わらないため、製造工程が繁雑になるだけで製造コストが却って掛かる。
【０００５】
そこで、図１０に示すような収納箱Ｙが開示されている（例えば、特許文献１参照。）。この収納箱Ｙに係る下フラップ１３には複数の開口部７が形成されている。一対の横フラップ１４，１５が内側に折り曲げられ、次いで一対の横フラップ１４，１５と重なり合うように下フラップ１３が内側に折り曲げられる。そして図１１に示すように、開口部７から露出した一対の横フラップ１４，１５の表面と下フラップ１３の外側に接着剤９を塗布して上フラップ１２を接着することによって、接着工程が一回で下フラップ１３と上フラップ１２を接着すると共に、一対の横フラップ１４，１５と上フラップ１２も接着することが可能となり、接着工程を増やすことなく収納箱Ｙの強度向上が図られている。
【０００６】
また、一般的な収納箱Ｘのもう一つの問題が側面６に生じる隙間である。図９に示すように、収納箱Ｘの側面６は複数のフラップを重ね合わせて封緘するため、従来の収納箱Ｘのような構成では側面６に生じる隙間が大きくなりやすい。隙間が生じると、当該隙間から埃や異物、虫などが侵入することがあるため、衛生上好ましくない。特に食品や薬剤の収納箱においては、不要な隙間をできるだけ少なくすることが求められている。
【０００７】
そこで、例えば図１２〜図１５に示すような収納箱Ｚが市販されている。この収納箱Ｚも基本的には収納箱Ｘと同様の構成を備えているが、図１２に示すように、収納箱Ｚに係る横フラップ１４，１５の表面には、外側に突出した突出部２０が形成されている。更に下フラップ１３の端縁２１には、下フラップ１３を内側に折り曲げて一対の横フラップ１４，１５の外側に重ね合わせたときに突出部２０が露出するように切り欠き部２２が形成されている。つまり、一対の横フラップ１４，１５が内側に折り曲げられ、次いで図１３に示すように一対の横フラップ１４，１５と重なり合うように下フラップ１３が内側に折り曲げられたとき、突出部２０が下フラップ１３を避けて切り欠き部２２の位置に露出することとなる。そして、突出部２０の表面２４と下フラップ１３の端縁２１に沿って接着剤９を塗布して上フラップ１２を内側に折り曲げることによって、図１４に示すように側面６が封緘されることとなる。この収納箱Ｚによれば、接着工程が一回で一対の横フラップ１４，１５と下フラップ１３と上フラップ１２を接着することができ、接着強度の確保と製造コストの抑制が図られると共に、図１５に示すように収納箱Ｘや収納箱Ｙに比べて側面６に生じる隙間の減少が図られる。
【先行技術文献】
【特許文献】
【０００８】
【特許文献１】特開２００５−２５５２４２
【考案の概要】
【考案が解決しようとする課題】
【０００９】
以上のように、収納箱には十分な強度と隙間の減少が求められるが、まず収納箱Ｘについては、前述のように十分な強度を得ようとすれば接着剤の使用量が増えて製造コストを抑制することが困難となる。なお、図７の状態で下フラップ１３の上方に露出した一対の横フラップ１４，１５の表面及び下フラップ１３の外側に接着剤９を塗布して上フラップ１２を接着する方法であれば接着工程は一回ですむ。しかし、図９からも明らかなように、一対の横フラップ１４，１５の露出部分と上フラップ１２との間には大きな隙間が生じるため十分な接着強度が得られ難い。また確実に接着するためには一対の横フラップ１４，１５の表面に接着剤９を高く盛る必要があるため接着剤９の使用量が増えてしまう。
【００１０】
また、収納箱Ｙの態様であれば、収納箱Ｙの強度は十分に確保できるものと思われるが、接着剤９の使用量が増大し、製造コストの抑制を図ることができない。そして、側面に生じる隙間の減少を期待することも困難である。
【００１１】
また、収納箱Ｚの態様であれば、製造コストを抑制しつつ収納箱Ｚの強度を確保でき、側面６に生じる隙間も収納箱Ｘや収納箱Ｙに比べてかなり小さくすることができるものと思われる。しかし、特に食品や薬剤の収納箱においては、更に隙間の少ない収納箱が求められている。
【００１２】
本考案は、従来のこのような問題点に鑑みてなされたものである。本考案の主な目的は、接着剤の使用量を抑制しつつも十分な強度を備え、組み立て後に生じる隙間を極力少なくした収納箱を提供することにある。
【課題を解決するための手段】
【００１３】
以上の目的を達成するため、本考案は、外形が直方体又は立方体形状をなし、上面(2)から連接された上フラップ(12)と、底面(3)から連接された下フラップ(13)と、前面(4)及び背面(5)から連接された一対の横フラップ(14,15)とを備え、内部空間に物品を収容後、前記一対の横フラップ(14,15)が内側に折り曲げられ、次いで前記一対の横フラップ(14,15)と重なり合うように前記下フラップ(13)、前記上フラップ(12)がこの順で内側に折り曲げられ、前記一対の横フラップ(14,15)、下フラップ(13)、上フラップ(12)が接着剤(9)で接着されて側面(6)が封緘されてなる収納箱(10)であって、前記横フラップ(14,15)の表面に、外側に突出した突出部(20)が形成され、前記下フラップ(13)の端縁(21)に、前記下フラップ(13)を内側に折り曲げて前記一対の横フラップ(14,15)の外側に重ね合わせたときに前記突出部(20)が露出するように切り欠き部(22)が形成され、前記突出部(20)の高さ(a)を、前記下フラップ(13)側において前記下フラップ(13)の厚みと略同一にすると共に、前記上フラップ(12)側に向かって徐々に低くすることによって、前記突出部(20)の表面(24)が傾斜面をなし、前記突出部(20)の表面(24)と前記下フラップ(13)の端縁(21)に沿って塗布される接着剤(9)を介して前記上フラップ(12)が接着されていることを特徴とする。
【００１４】
また、本考案の収納箱において、更に前記突出部(20)の表面(24)及び前記下フラップ(13)の端縁(21)に沿って塗布される接着剤(9)の塗布位置が、略一直線状に配置されていることを特徴とする。
【００１５】
更に、本考案の収納箱において、前記突出部(20)と前記切り欠き部(22)とが係合するように形成されていることを特徴とする。
【考案の効果】
【００１６】
本考案の収納箱の構成によると、接着剤が塗布される突出部の表面及び下フラップの端縁が略同一面をなしているため、上フラップの接着時の押圧力を均一にできる。従って、接着剤が流出したり垂れたりする事態を回避でき、収納箱の強度、特にひねり接着強度を増すことができると共に、接着の信頼性を向上することができる。
【００１７】
また、横フラップの表面に形成された突出部の表面が傾斜面をなしているため、複数のフラップを重ね合わせて封緘する際に形成される側面の隙間を極力少なくすることができる。従って、従来の収納箱に比べて埃や異物、虫などの侵入防止効果が非常に高く、特に食品や薬剤等の収納に好適な収納箱を提供することができる。
【００１８】
また、本考案の収納箱の構成において、突出部の表面及び下フラップの端縁に沿って塗布される接着剤の塗布位置を略一直線状に配置することによって、更なる接着の信頼性向上が図られる。
【００１９】
また、本考案の収納箱の構成において、突出部と切り欠き部とが係合するように形成されていることによって、突出部と切り欠き部との隙間が殆ど形成されることが無く、埃や異物等の侵入防止効果を一層高めることができる。
【図面の簡単な説明】
【００２０】
【図１】本考案の実施例に係る収納箱の斜視図であって、一対の横フラップを内側に折り曲げた状態を示す。
【図２】図１の状態から下フラップを内側に折り曲げた状態を示す斜視図である。
【図３】図２の状態から上フラップを内側に折り曲げた状態を示す斜視図である。
【図４】図３の状態における突出部が位置する部分の断面図である。
【図５】図５Ａ〜図５Ｃは本考案の実施例に係る切り欠き部の他の態様を示す正面図である。
【図６】従来の一の収納箱の斜視図であって、一対の横フラップを内側に折り曲げた状態を示す。
【図７】図６の状態から下フラップを内側に折り曲げた状態を示す斜視図である。
【図８】図７の状態から上フラップを内側に折り曲げた状態を示す斜視図である。
【図９】図８の状態における突出部が位置する部分の断面図である。
【図１０】従来の他の収納箱の斜視図であって、一対の横フラップを内側に折り曲げた状態を示す。
【図１１】図１０の状態から下フラップを内側に折り曲げた状態を示す斜視図である。
【図１２】従来の他の収納箱の斜視図であって、一対の横フラップを内側に折り曲げた状態を示す。
【図１３】図１２の状態から下フラップを内側に折り曲げた状態を示す斜視図である。
【図１４】図１３の状態から上フラップを内側に折り曲げた状態を示す斜視図である。
【図１５】図１４の状態における突出部が位置する部分の断面図である。
【考案を実施するための形態】
【００２１】
以下、本考案の実施の形態を図面に基づいて説明する。ただし、以下に示す実施の形態は、本考案の技術思想を具体化するための収納箱を例示するものであって、本考案は収納箱を以下のものに特定しない。さらに、本明細書においては、実用新案登録請求の範囲を理解しやすいように、実施例に示される部材に対応する符号を、「実用新案登録請求の範囲」および「課題を解決するための手段」の欄に示される部材に付記している。ただ、実用新案登録請求の範囲に示される部材を、実施の形態の部材に特定するものでは決してない。特に実施の形態に記載されている構成部材の寸法、材質、形状、その相対的配置等は、特定的な記載がない限りは、本考案の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本考案を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【００２２】
本考案の実施例の形態に係る収納箱１０を図１から図４に示す。図１は本実施例に係る収納箱１の斜視図であって、一対の横フラップ１４，１５を内側に折り曲げた状態を示す。同図に示すように、本実施例に係る収納箱１は、外形が直方体形状をなし、上面２から連接された上フラップ１２と、底面３から連接された下フラップ１３と、前面４及び背面５から連接された一対の横フラップ１４，１５とを備える。内部空間に物品を収容した後、図１に示すように一対の横フラップ１４，１５が内側に折り曲げられ、次いで図２に示すように一対の横フラップ１４，１５と重なり合うように下フラップ１３が内側に折り曲げられる。
【００２３】
ここで、本実施例の収納箱１に係る横フラップ１４，１５の表面には、外側に突出した突出部２０が形成されている。一方、収納箱１に係る下フラップ１３の端縁２１には、図２に示すように、下フラップ１３を内側に折り曲げて一対の横フラップ１４，１５の外側に重ね合わせたときに突出部２０が露出するように切り欠き部２２が形成されている。つまり、図１に示すように一対の横フラップ１４，１５が内側に折り曲げられ、次いで図２に示すように一対の横フラップ１４，１５と重なり合うように下フラップ１３が内側に折り曲げられたとき、突出部２０が下フラップ１３を避けて切り欠き部２２の位置に露出することとなる。
【００２４】
更に、突出部２０の高さａは、下フラップ１３側において下フラップ１３の厚みと略同一に設定されると共に、上フラップ１３側に向かって徐々に低くすることによって、突出部２０の表面２４が傾斜面をなしている（図２及び図４参照）。そして、突出部２０の表面２４と下フラップ１３の端縁２１に沿って接着剤９が塗布され、上フラップ１２を内側に折り曲げることによって、図３に示すように側面６が封緘されることとなる。
【００２５】
以上の構成からなる本実施例に係る収納箱１によると、まず接着剤９が塗布される突出部２０の表面２４及び下フラップ１３の端縁２１が略同一面をなしているため、上フラップ１２の接着時の押圧力を均一にできる。従って、接着剤９が流出したり垂れたりする事態を回避でき、収納箱１の強度、特にひねり接着強度を増すことができると共に、接着の信頼性を向上することができる。
【００２６】
また、横フラップ１４，１５の表面に形成された突出部２０の表面２４が傾斜面をなしているため、複数のフラップを重ね合わせて封緘する際に形成される側面６の隙間を極力少なくすることができる。従って、従来の収納箱Ｘ、Ｙ、Ｚなどに比べて埃や異物、虫などの侵入防止効果が非常に高く、特に食品や薬剤等の収納に好適な収納箱を提供することができる。
【００２７】
また更に、本実施例に係る収納箱１によると、接着工程が一回で一対の横フラップ１４，１５と下フラップ１３と上フラップ１２とを接着することができ、接着強度の確保と製造コストの抑制が図られる。
【００２８】
また、側面６において複数のフラップが重ね合わされているにも拘わらず隙間が非常に小さいため、従来の収納箱に比べてよりフラットな側面６を提供することができる。従って、この側面６を下側にして収納箱１を陳列する際、自立安定性の高い収納箱１を提供することができる。
【００２９】
以上、本考案の実施例に係る収納箱１について詳述したが、本考案の収納箱において接着剤９の塗布位置は特に限定されるものではない。但し、図２に示すように、突出部２０の表面２４及び下フラップ１３の端縁２１に沿って塗布される接着剤９の塗布位置を略一直線状に配置することが特に好ましい。接着剤９の塗布位置を略一直線上に配置することによって、接着工程の簡素化、より均一な押圧力の付与が可能となり、更なる接着の信頼性向上が図られる。
【００３０】
また、接着剤９の塗布態様に関しても、例えば図７に示すように下フラップ１３の幅方向全幅にわたって接着剤９を塗布することによって、収納箱Ｘのひねり接着強度は高くなる。しかし、図２に示すように、接着剤９の塗布位置を略一直線上に所定の間隔を開けて配置することによって、収納箱Ｘと同等のひねり接着強度が得られると共に、接着剤９の塗布量削減を図ることができ、収納箱１の製造コスト削減にもつながる。
【００３１】
また更に、本考案の収納箱の構成において、突出部２０や切り欠き部２２の形状は特に限定されず、例えば図５Ａに示すように切り欠き部２２の形状が直角状であってもよく、或いは同５Ｂに示すくの字状、更には図５Ｃに示す円弧状のような形状であってもよい。但し、図５Ａに示す直角状の切り欠き部２２であれば、平面視長方形状をなす突出部２０と容易に係合させることができ、突出部２０と切り欠き部２２との隙間は殆ど形成されないため、埃や異物等の侵入防止効果を一層高めることができる。つまり、突出部２０と切り欠き部２２を係合させることによって隙間をできるだけ小さくすることが可能となり、埃や異物等の侵入防止効果の向上が図られるのである。
【００３２】
以上、本考案の種々の実施例について説明したが、本考案の収納箱の実施形態は上記のものに限定されるものではない。例えば、本考案の収納箱の外形は各図に示した直方体形状に限定されず、立方体形状であってもよい。
【産業上の利用可能性】
【００３３】
本考案に係る収納箱は、食品や薬剤等を収納する際に使用する収納箱として、好適に利用できる。
【符号の説明】
【００３４】
１，Ｘ，Ｙ，Ｚ…収納箱
２…上面
３…底面
４…前面
５…背面
６…側面
７…開口部
９…接着剤
１２…上フラップ
１３…下フラップ
１４，１５…横フラップ
２０…突出部
２１…下フラップの端縁
２２…切り欠き部
２４…突出部の表面
ａ…突出部の高さ
【図１】
0003183620.tif 000003
【図２】
0003183620.tif 000004
【図３】
0003183620.tif 000005
【図４】
0003183620.tif 000006
【図５】
0003183620.tif 000007
【図６】
0003183620.tif 000008
【図７】
0003183620.tif 000009
【図８】
0003183620.tif 000010
【図９】
0003183620.tif 000011
【図１０】
0003183620.tif 000012
【図１１】
0003183620.tif 000013
【図１２】
0003183620.tif 000014
【図１３】
0003183620.tif 000015
【図１４】
0003183620.tif 000016
【図１５】
0003183620.tif 000017